(57)【要約】      （修正有）【課題】小さな多極性の電池でがん治療におけるがん組織の組織的な死滅破壊を起こす。その電池の製造と電池を患部まで到達させて取出しを行える器具の提供にある。【解決手段】電極の微細加工においては金属のエッチング技術をつかい、電池筐体の加工においては超合金を流用した射出成形技術をつかう。電池をがん組織に埋設することで体液に湿潤して多極性の電池は正極と負極の間で電流が惹起する、がん組織は細胞組織的破壊死滅を起こす。医療サービス産業においてがん患者治療における外科的侵襲を抑えて、がん組織を小さくすることができる。【選択図】図４
2016073726.tif 000002
【特許請求の範囲】
【請求項１】
１辺が２ミリメートル以下の立方体あるいは長方体の大きさとして、さらに容積においては８立方ミリメートル以下の電池。
【請求項２】
請求項１において、電池をがん細胞の組織に磁石と駆動式の刃を利用して埋設するための有刃磁石式挿出入カテーテル。
【請求項３】
１つの微小筐体に２つ以上の負極の電極を有し、もしくは２つ以上の正極の電極を有する請求項１における電池。
【発明の詳細な説明】
【技術分野】
【０００１】
本発明は、極めて小さい多数の電極を有する電池に関する。さらにその電池をがん細胞の組織に挿出入する器具に関する。
【発明の概要】
【発明が解決しようとする課題】
【０００２】
がん患者のがん組織を縮小化あるいはがん組織の肥大を抑えるため、がん患部の切除術や抗がん剤の投与、がん組織に放射線を照射する放射線治療を行っている。神経節や血流脈の集中するところのがん組織の切除術については困難を生じ、抗がん剤治療においては正常細胞の組織をも破壊して、顆粒球を減少させるなどの免疫系統をも変化させる。放射線治療においては正常細胞を熱傷させてしまい、重粒子線治療においても同じこととなっている。一方で、電池の製造においては多くの電極を有する微細な加工を施したエネルギー密度の高い微小な電池の加工と製造がなされていなかった。また、このような微小な電池をがん組織に埋没させ、かつがん組織から取り出すためのカテーテルがなかった。
【発明の効果】
【０００３】
がんの治療において、がん組織の細胞を腐蝕させるために電池を使う。がん組織に電池を埋設して一定時間がん組織に電極を触れさせて電流を誘起、ジュール熱により病的組織を物理的あるいは化学的に変性させてがん細胞の生存能力を失わせ、がん細胞を死滅、貪食細胞が局所的に生体内ではたらいてがん組織を縮小化する。場合によっては酸化還元反応からがんの細胞に破壊を起こさせる。電池はエネルギー密度が高いながら短時間で放電しつくしてがん組織のがん細胞を死滅させることができる。一方で、電池の製造工程における正極と負極を多数もたせるための加工技術においては金属のエッチング技術、微小な電池の筐体は高圧な空気や精密な金型を使うことによる金属の射出成形を汎用することで実現する。電池は金属性あるいは一部が樹脂製であることから、電池を磁石で引き留めながらがん細胞組織一帯にいくつかの電池をカテーテルを使い、人体に挿入して電池を埋設をしうる。電池はエックス線撮像で容易に見つけられ侵襲度の低い方法で体外へと取り出すことが可能になる。また、金属探査装置などで体内の電池の有無を把握できる。これら通常の抗がん剤治療における血液中の白血球数減少からによる感染症、重篤な肝機能の低下などの副作用から逃れられる、さらに放射線治療や重粒子線治療による正常細胞の損傷、そして高額な保険の適用外の個人負担となる医療費とも抑制できるとした。
【図面の簡単な説明】
【０００４】
【図１】流通しているボタン電池と解される電池の上下両面に正極を備えた微小な電池をあらわし一般的には流通しない。
【図２】５６５から５６９の５つの正極をもつ微小な電池は、がん組織と密着する極面を多くとれる、したがって短時間で組織と密着しながら正極と負極間にジュール熱が発生しかね、がん細胞を腐蝕して死滅させる。５６０は正極となる。
【図３】流通しているコイン型電池と解される電池の片面に３つの正極を備えた微小な電池をあらわし一般的には流通しない。６１３は正極ないし６３８は負極であり６２６はセパレータである
【図４】有刃磁石式挿出入カテーテルの断面図である、３５７はカテーテルの外形であり、可とう性の合成樹脂製の管。がん組織まで金属製の有刃３５５が人体組織を切り裂きながら９９０の微小な電池をがん組織まで挿入し、あるいは取り出すためのもので、カテーテルの先端はいくつもの有刃が外形の中心に整然に並び、かつ有刃が開閉するよう、先端が鋭い円錐形をなしている。３５９磁石の磁力をゼロにして３４８の押出し棒にてがん組織に９９０電池を挿入する。３５２は回転軸となっており、有刃の開閉を担う。
【図５】微小な電池の筐体部分を作成する成形機の一部の断面図である。４４１は電池筐体の金属素材であり、８９１が土台となって、８９０を上部から土台へ押し込むことで筐体をつくりだす。
【図６】エッチングパターンである、４７１は金属部分をエッチングした正極にあたる部分になり４４１は電池筐体の素材である。こうして多数の極数を電池の筐体にもたせる。
【図７】２２９と２２３および２２２は血管であり、がん組織２４３の中に微小な電池２９８を挿入後、電池によるがん組織の腐蝕効果により２７２のがん組織の空洞を生じさせる、その際に生体内の貪食細胞が活躍する。
【先行技術文献】
【特許文献】
【０００５】
参考となる文献には体内組織の腐蝕写像等を含む医療従事者向けのものがあり、見る者にとって嫌悪感等をいだかせるものがあるため省略した。
【実施例】
【０００６】
幼少児がコイン型のリチウム電池を誤飲してしまい、２０分程度で食道や胃壁を熱傷して正常細胞の組織を破壊してしまう死亡事故がある。それに例をとり、がん組織へ微小加工を施した多極性の電池をカテーテルで埋設して、一定時間後に取り出すとがん組織を腐蝕、破壊できることに注視した。
【符号の説明】
【０００７】
７２１  空間図形で円筒形の電池における正極面
７２４  円筒形の電池における電極を絶縁するセパレータ
７２７  円筒形の電池の筐体で負極の電極面  
５６０  負極の電極面で四角形の筐体かつ電池の立体図
５６５  正極の電極面
５６６  正極の電極面
５６７  正極の電極面
５６８  正極の電極面
５６９  正極の電極面
６１３  コイン型の電池における正極の電極
６２６  コイン型の電池における電極を絶縁するセパレータ
６３８  コイン型の電池における負極の電極を有する筐体で上方から見た片面図
４４１  電池のケースとなる金属板
８９０  凸プレス金型の断面図
８９１  凹プレス金型の断面図
４４１  電池のケースとなる金属板
４７１  電極用のエッチング枠で上方から見た片面図
９９０  電池
３４８  電池を抜差しする可とう性樹脂コード
３５２  挿刃固定軸
３５５  挿刃
３５７  有刃磁石式挿入管の断面図
３５９  強磁性磁石
２２２  がん組織に圧迫される狭窄血管の断面想定図
２２３  がん組織の圧迫から開放された血管の断面想定図
２２９  血管の断面想定図
２４３  がん組織の断面想定図
２７２  電池にてがん細胞が死滅し電池を摘出後、壊死したがん細胞が貪食細胞にて捕食された空間域
２９８  有刃磁石式挿入管にて埋設された電池
【図１】
2016073726.tif 000003
【図２】
2016073726.tif 000004
【図３】
2016073726.tif 000005
【図４】
2016073726.tif 000006
【図５】
2016073726.tif 000007
【図６】
2016073726.tif 000008
【図７】
2016073726.tif 000009